(57)【要約】【課題】スロットマシンの内部動作の設定を不正に変更する行為を防止する。【解決手段】前面に扉を備える遊技機筐体と、内部動作に関する設定の変更を行うためのスイッチであって前記遊技機筐体内に設けられた設定変更用スイッチと、前記設定変更用スイッチの周辺の光の強さを検出する温度センサとを備え、前記設定変更用スイッチが操作されたときに予め定められた手順に従い設定変更を行う遊技機において、前記温度センサで検出された温度が予め定められた条件を満たすときに前記設定変更を許可する。【選択図】        図６27
2010000097.tif 000002
【特許請求の範囲】
【請求項１】
前面に扉を備える遊技機筐体と、内部動作に関する設定の変更を行うためのスイッチであって前記遊技機筐体に設けられた設定変更用スイッチと、前記遊技機筐体内に設けられた温度センサと、予め定められた手順に従い前記設定変更用スイッチが操作されたときに設定変更を行う設定変更処理部と、前記温度センサの出力に基づき設定変更の許可又は不許可を制御する制御部とを備え、前記制御部は、前記温度センサで検知された温度が予め定められた条件を満たすときに前記設定変更処理部による設定変更を許可することを特徴とする遊技機。
【請求項２】
棒状の熱伝導部材を備え、
前記温度センサは、前記熱伝導部材の一方の端に設けられ、他方の端は前記遊技機筐体の前面に向けられており、
前記熱伝導部材の他方の端が加熱されることで、前記熱伝導部材を通って、加熱された前記他方の端から前記温度センサに熱が伝導し、あるいは、前記熱伝導部材の他方の端が冷却されることで、前記熱伝導部材を通って、前記温度センサから冷却された前記他方の端に熱が伝導することを特徴とする請求項１記載の遊技機。
【請求項３】
熱伝導部材を備え、
前記温度センサは、前記熱伝導部材の内部に設けられており、
前記熱伝導部材の表面の少なくとも一部が加熱されることで、前記熱伝導部材を通って、その内部の前記温度センサに熱が伝導し、あるいは、前記熱伝導部材の表面の少なくとも一部が冷却されることで、前記熱伝導部材を通って、前記温度センサから前記熱伝導部材の表面の少なくとも一部に熱が伝導することを特徴とする請求項１記載の遊技機。
【請求項４】
さらに、前記扉の開閉を検出する扉開放検出センサを備え、
前記制御部は、前記温度センサで検知された温度が前記条件を満たし、かつ、前記扉開放検出センサにより前記扉の開放が検出されたとき、前記設定変更処理部による設定変更を許可することを特徴とする請求項１乃至請求項３いずれかに記載の遊技機。
【発明の詳細な説明】
【技術分野】
【０００１】
この発明は、スロットマシン等の遊技機に関し、特に設定変更に関するセキュリティを向上させたものに関する。
【背景技術】
【０００２】
スロットマシン等の遊技機において、遊技者が所定の枚数のメダルや遊技球等の遊技媒体を遊技機に投入してゲームを楽しむことができる。遊技に必要な遊技媒体は、遊技ホール内に設けられた遊技媒体貸機等で借りることができ、所望の遊技機の遊技媒体投入口に投入することによりゲームを開始することができる。
【０００３】
スロットマシンは、基本的に絵柄が揃ったときに賞品としてメダルを払い出すものであるが、絵柄が揃うかどうかは内部のコンピュータによる抽選の結果に従う。また、ビッグボーナス（ＢＢ）、レギュラーボーナス（ＲＢ）、小役などのさまざまな賞も内部のコンピュータによる抽選の結果に従う。抽選の処理の内容（内部動作）は所定の範囲内で設定変更が可能であり、遊技機が設置されるホールなどにおいて店側により設定作業が行われる。
【０００４】
通常のスロットマシンは、ＢＢ，ＲＢ、小役等の抽選確率の異なる複数の抽選テーブルを予め備える。スロットマシンの抽選では、それら複数の抽選テーブルの中から１つが設定され、この設定された抽選テーブルに基づいて抽選による当たり／ハズレの判定がなされる。複数の抽選テーブルのうちどれを使用するかに関する設定を変更することを、設定変更と称している。
【０００５】
従来、例えばスロットマシンのような遊技機では、設定値（通常１〜６）を変更する場合、遊技機の扉を開け、電源部に設けられた設定キースイッチに設定キーを挿入して当該キースイッチをオンにした状態で遊技機の電源を投入して設定変更可能な状態にし、設定変更ボタン（押ボタン）を１回押下するごとに、７セグメント表示器などに表示される設定値がインクリメントされて１〜６までの値を循環的に変化させ、所望する設定値が表示器に表示されたところでスタートレバーを操作することで、所望する設定値を確定させていた。
【０００６】
【特許文献１】特開２００６−２５５２９５号公報
【特許文献２】特開２００４−１３５８４３号公報
【特許文献３】特開２００６−１０９９１３号公報  制御基板の端子付近に温度検知センサを設け、当該センサのとる値が所定値以上だと、不正情報を送信する。
【特許文献４】特開平９−１０８４４２号公報  温度センサを備えたテレビゲーム装置。温度センサからの温度情報に応じてゲーム演出を変化させる。
【発明の開示】
【発明が解決しようとする課題】
【０００７】
上述した設定変更はホールの方針に従って係員が行うものである。しかし、自己に有利なように不正に設定変更を行い、利益を得ようとする者がいた。このような不正行為を行う者により、ホールが損害を被っている。手口としては遊技機筐体の隙間から道具を挿入して下扉を開かない状態で設定変更を行う、下扉をわずかに開いた状態で道具を用いて行う等、いろいろある。
【０００８】
上述した不正行為の対策として、一定以上の音量を検知したことを条件に設定変更を許可するもの（特許文献１）、閉じ位置にある前面扉を検知する手段を設け、当該手段の非検知で設定変更を許可するもの（特許文献２）がある。特許文献１によれば、設定変更を行う際に例えばブザーで一定以上の音量を発生させなければならず、当該行為は周囲の注意を引くから不正行為を困難にできる。特許文献１によれば、扉を閉じたままでの設定変更を不可能にできる。また、温度センサを備える遊技機として、特許文献３及び４記載のものがあるが、いずれも設定変更に係る不正行為を防止するためのものではない。
【０００９】
本発明は、公知の特許文献１乃至特許文献４とは異なる手段で不正行為を防止することのできる遊技機を提供することを目的とする。
【課題を解決するための手段】
【００１０】
この発明に係る遊技機は、前面に扉を備える遊技機筐体と、内部動作に関する設定の変更を行うためのスイッチであって前記遊技機筐体に設けられた設定変更用スイッチと、前記遊技機筐体内に設けられた温度センサと、予め定められた手順に従い前記設定変更用スイッチが操作されたときに設定変更を行う設定変更処理部と、前記温度センサの出力に基づき設定変更の許可又は不許可を制御する制御部とを備え、前記制御部は、前記温度センサで検知された温度が予め定められた条件を満たすときに前記設定変更処理部による設定変更を許可するものである。
【００１１】
上記予め定められた条件は、例えば次のようなものである。
（１）閾値よりも高い
この閾値は、遊技機が動作中においてもその筐体の内部が到達することのない温度、例えば摂氏８０度程度に設定される。人為的に加熱しない限り設定変更を行えない。
（２）閾値よりも低い
この閾値は、営業中のホールの室温よりも低い温度、例えば、摂氏１０度程度に設定される。人為的に冷却しない限り設定変更を行えない。
（３）上限と下限の間にある
例えば、摂氏８０度から９０度の間、摂氏５度から１０度の間に設定される。不正行為者は短時間で作業を行うから、強力に加熱あるいは冷却を行うはずである。すると、温度の上昇し過ぎあるいは下降し過ぎ（オーバーシュート）が生じ、設定可能な温度範囲を外れることになる。加熱又は冷却に時間をかけない限り所定の温度範囲に設定することは容易でない。（３）によれば、短時間での温度調節は困難になり、不正行為をより強力に抑止できる。
【００１２】
前記温度センサは、例えば、アルミニウムや銅などの熱伝導率の高い部材に接触するように設けられている。
熱伝導率が高く（そして熱容量の大きな）部材に、前記温度センサを熱的に接触させることで温度センサ単体での温度設定を不可能とし、所定の温度へ設定するために多量の熱量を前記部材に加えること又は奪うことを余儀なくさせる。不正行為者による短時間での温度調節は困難になり、不正行為をより強力に抑止できる。
【００１３】
さらに、棒状の熱伝導部材を備えるようにしてもよい。
前記温度センサは、前記熱伝導部材の一方の端に設けられ、他方の端は前記遊技機筐体の前面に向けられており、
前記熱伝導部材の他方の端が加熱されることで、前記熱伝導部材を通って、加熱された前記他方の端から前記温度センサに熱が伝導し、あるいは、前記熱伝導部材の他方の端が冷却されることで、前記熱伝導部材を通って、前記温度センサから冷却された前記他方の端に熱が伝導する。
【００１４】
さらに、熱伝導部材（その形状は、球形、楕円体、立方体、直方体などである）を備えるようにしてもよい。
前記温度センサは、前記熱伝導部材の内部に設けられており、
前記熱伝導部材の表面の少なくとも一部が加熱されることで、前記熱伝導部材を通って、その内部の前記温度センサに熱が伝導し、あるいは、前記熱伝導部材の表面の少なくとも一部が冷却されることで、前記熱伝導部材を通って、前記温度センサから前記熱伝導部材の表面の少なくとも一部に熱が伝導する。
【００１５】
さらに、前記扉の開閉を検出する扉開放検出センサを備え、
前記制御部は、前記温度センサで検知された温度が前記条件を満たし、かつ、前記扉開放検出センサにより前記扉の開放が検出されたとき、前記設定変更処理部による設定変更を許可するようにしてもよい。
【発明の効果】
【００１６】
この発明によれば、遊技機筐体の扉を開け、温度センサを加熱又は冷却し、温度センサの検出する温度が所定の条件を満たすようにしない限り設定変更が許可されない。したがって、本発明によれば、扉を閉じて行う不正な設定変更を防止することができる。
【発明を実施するための最良の形態】
【００１７】
発明の実施の形態１．
この発明の実施の形態に係るスロットマシン（遊技機）及びその設定変更許可方法について図面を参照して説明する。
【００１８】
図１は前扉を閉めた状態を示すスロットマシンの正面図を示す。
図１はスロットマシン１００を示す。このスロットマシン１００は、図１に示すように、スロットマシン本体（遊技機筐体）１２０と、このスロットマシン本体１２０の前面片側にヒンジ等により開閉可能に取り付けられた前扉１３０とを備えている。前記前扉１３０の前面には、図１に示すように、ほぼ中央にゲーム表示部１３１を設け、ゲーム表示部１３１の右下隅部に、遊技者がメダルを投入するためのメダル投入口１３２を設け、メダル投入口１３２の下側には、メダル投入口１３２から投入され、詰まってしまったメダルをスロットマシン１００外に強制的に排出するためのリジェクトボタン１３３が設けられている。
【００１９】
また、前記ゲーム表示部１３１の左下方には、ゲームを開始するためのスタートスイッチ１３４を設けてあり、３つのリールのそれぞれに対応して３つのストップボタン１４０を設けてある。前扉の下端部中央には、メダルの払出し口１３５を設けてある。遊技用のメダルをメダル投入口１３２に投入するか若しくはベットスイッチ１３７の操作を条件に、スタートスイッチ１３４を操作すると３つのリールが回転を開始し、ゲームがスタートする。キャンセルスイッチ（キャンセルボタンとも呼ぶ）１３８は投入済みのメダルの返却を求めるためのものである。
【００２０】
図２は前扉を１８０度開いた状態を示すスロットマシンの正面図を示す。
スロットマシン本体１２０の内部には、図２に示すように、その内底面に固定され、内部に複数のメダルを貯留して、貯留したメダルを前扉１３０の前面に設けた払出し口１３５に１枚ずつ払い出すためのホッパ装置１２１が設置されている。このホッパ装置１２１の上部には、上方に向けて開口し、内部に複数のメダルを貯留するホッパタンク１２２を備えている。スロットマシン本体１２０の内部には、前扉１３０を閉めたときにゲーム表示部１３１が来る位置に三個の回転リールからなるリールユニット２０３が設置されている。ホッパ装置１２１の上側のリールユニット２０３との間には電源部２０５が設けられている。
【００２１】
前記前扉１３０の裏面には、図２に示すように、メダル（コイン）セレクタ１が、前扉１３０の前面に設けられたメダル投入口１３２の裏側に取り付けられている。このメダルセレクタ１は、メダル投入口１３２から投入されたメダルの通過を検出しながら、当該メダルをホッパ装置１２１に向かって転動させ、外径が所定寸法と違う異径メダルや、鉄又は鉄合金で作製された不正メダルを選別して排除するとともに、１ゲームあたりに投入可能な所定枚数以上のメダルを選別して排除するための装置である。
【００２２】
また、メダルセレクタ１の下側には、図２に示すように、その下部側を覆って前扉１３０の払出し口１３５に連通する導出路１３６が設けられている。メダルセレクタ１により振り分けられたメダルは、この導出路１３６を介して払出し口１３５から遊技者に返却される。
【００２３】
図３は遊技機の電源部２０５の正面（パネル）を示す。
図３において、電源スイッチ２０５１は電源のオン／オフスイッチであり、電源部パイロットランプ２０５２は電源がオンのとき点灯するランプ（ＬＥＤ）であり、打ち止め有無スイッチ２０５３はメダルの払い出し枚数を制限する打ち止めを「有り」または「無し」に設定するスイッチである。打ち止め有無スイッチ２０５３は通常「無し」に設定されていて、頻繁に使用されることはない。設定キースイッチ（設定変更用スイッチ）２０５４は設定を有効にするためのスイッチであり、設定変更／リセットスイッチ（設定変更用スイッチ）２０５５は設定変更を行ったり、装置をリセットするためのスイッチであり、ＡＣ１００Ｖパイロットランプ２０５６は筐体の電源であるＡＣ１００Ｖが供給されていることを示すランプであり、ＡＣ電源出力及び電源ケーブル２０５７は電源を供給するためのものである。
【００２４】
図３において、２０６１は温度センサである。温度センサには、温度変化に伴う金属の電気抵抗の変化に基づき温度を測定する金属抵抗温度センサ、半導体負性抵抗の温度変化に基づき温度を測定する半導体温度センサ（サーミスタなど）、熱起電力に基づき温度を測定する熱電対などがある。
【００２５】
図４はスロットマシン筐体の前扉１３０を開けた状態を示す斜視図である。図４の例では、前扉１３０はその上側の部分１３０−１と同下側の部分（下扉）１３０−２とから構成され、筐体の左側に設けられたヒンジＨＩＮを回転の中心として上側の部分１３０−１と同下側の部分（下扉）１３０−２をそれぞれ独立に開閉できるものである。図４ではそれら両方を開いた状態を示している。
【００２６】
図３で示したように、電源部２０５の正面に温度センサ２０６１が設けられている。温度センサ２０６１は、例えば、アルミや銅などの熱伝導率が高く、しかも熱容量の大きな部材（図示せず）に取り付けられている。好適には、電源部２０５のパネルをアルミ製あるいは銅製とするとともに、その厚みを増すことで熱容量を大きくする。温度センサ２０６１を電源部２０５のパネルに密着させるとよい。後述のように、設定変更を行うには温度センサ２０６１の検知する温度が所定の条件を満たすことが必要であるが、温度センサ２０６１を前記部材に取り付けておくことで前記温度の設定には多くの熱量を加えるか又は奪うことが必要となり、その作業に時間を要するようになる。このようにすることで、短時間で行わなければならない不正行為を効果的に防止することができる。
【００２７】
なお、温度センサ２０６１を、容易に手の届かない筐体の奥、例えば、図４の点線で示すように筐体内部の左下隅に設けるようにしてもよい。このように設置すると、温度センサ２０６１の温度の調節が困難になるので、不正行為を行うことはさらに難しくなる。
【００２８】
図５は発明の実施の形態に係るスロットマシンの機能ブロック図を示す。
図５において、２００はメイン基板（基板）である。メイン基板２００は、遊技者の操作を受けて内部抽選を行ったり、リール（回胴）の回転・停止やメダルの払い出しなどの処理を行うためのものである。メイン基板２００は、予め設定されたプログラムに従って制御動作を行うＣＰＵと、記憶手段であるＲＯＭおよびＲＡＭを含む。メイン基板２００は、スタートスイッチ１３４及びストップスイッチ１４０の操作に基づき回転リール（回胴）２０３の回転及び停止を制御する際に、予め定めた抽選確率に基づいて入賞か否かの入賞判定の抽選を行う入賞抽選手段（図示しない）を含む。この入賞抽選手段による抽選結果が入賞である場合に入賞フラグが成立し、この入賞フラグ成立中に、回転リール（回胴）２０３の停止図柄の組み合わせが予め定められた入賞図柄と一致したことを条件に入賞が確定し、遊技者にメダルの払い出しや、特別遊技等の利益が付与されるように設定されている。
【００２９】
スロットマシンはメイン基板２００以外に、図示しないがサブ基板を備える。図示しないサブ基板は、メイン基板２００からコマンド信号を受けて内部抽選の結果を報知したり各種演出を行うためのものである。サブ基板は、予め設定されたプログラムに従って制御動作を行うＣＰＵと、記憶手段であるＲＯＭおよびＲＡＭを含む。
【００３０】
図示しないサブ基板はメイン基板２００からコマンド信号をうけ、これに従って演出等の処理を行う。コマンド信号の流れはメイン基板２００からサブ基板への一方のみであり、逆にサブ基板からメイン基板２００へコマンド信号等が出されることはない。
【００３１】
メイン基板２００のＲＯＭには、このスロットマシン１００で実行されるゲーム処理の手順がシーケンスプログラムとして記憶されている他、入賞確率テーブル，シンボル（図柄）テーブルおよび入賞図柄組合せテーブル等がそれぞれ区分されて格納されている。入賞確率テーブルは、抽出された乱数を各入賞態様に区分けするように区分されており、発生する一定範囲の乱数を各入賞態様に区画するデータを記憶している。すなわち、入賞確率テーブルは、取り得る乱数の全領域に対応して、各入賞態様ごとに区分された領域を有するものである。例えば、０〜一定数の範囲を複数に区分し、ひとつの区分（領域）を外れとし、他の区分（領域）を入賞１、入賞２、・・・というように設定する。抽出された乱数データは、乱数の全領域中の各入賞態様ごとに区分された入賞判定領域データそれぞれと照合し、当該抽出乱数データが属する入賞態様に対応する当選が決定される。例えば、抽出された乱数の数値が、入賞確率テーブルのどの区分（領域）に属するか調べ、その区分が例えば入賞１の区分であれば「入賞１」と判定される。同様に、抽出された乱数の数値が入賞判定テーブルの外れの区分（領域）に属すれば「外れ」と判定される。抽選処理の評価が例えば外れの場合は所定の図柄が揃わないように設定され（いわゆる蹴飛ばし）、当たりの場合はストップスイッチ１３４が所定のタイミングで押下されることなどを条件に所定の図柄が揃うように設定される（いわゆる引き込み）。そして、所定の図柄が揃えば入賞図柄に相当するメダルが払い出される。各種の入賞はこのような入賞確率テーブルのデータ設定に応じた確率の下で発生するため、遊技者の技量に極端に左右されることなく、例えば１日の営業時間内でのトータル的なメダル支払い率がほぼ一定に維持されている。
【００３２】
図５のメイン基板２００は設定変更処理部２００ａを含む。設定変更処理部２００ａは例えばＲＯＭに記憶されたプログラムにより実現され、内部動作に関する設定の変更を行うための設定変更用スイッチ２０５４，２０５５が操作されたときに予め定められた手順に従い設定変更を行う。設定変更とは、入賞確率テーブルを選択する内部設定を変更することである。遊技機の処理部（メイン基板２００）のＲＯＭには複数の入賞確率テーブルが予め用意されていて、遊技機が設置されるホールでどのテーブルを使用するか選択することができるようになっている。テーブルの種類によって当選・入賞の確率が変わるので、使用するテーブルの種類を自己に有利なように変更するという不正行為（設定変更ゴト）が存在する。
【００３３】
図５において、２０２はスタートスイッチ１３４やストップスイッチ１４０、ベットスイッチ１３７などのスイッチからなる操作部である。２０３は三個の回転リールからなるリールユニットである。２０５は各部に電源を供給する電源部である。
【００３４】
図５において、２０６１は上述した温度センサである。２０６４は温度センサ２０６１の出力に基づき設定変更の許可／不許可を制御する制御部である。制御部２０６４の出力信号はメイン基板２００へ送られる。
【００３５】
なお、図５では制御部２０６４を電源部２０５に設けているが、本発明はそのような構成に限定されない。制御部２０６４をメイン基板２００内に設けてもよい。制御部２０６４として動作するためのプログラムをメイン基板２００のＲＯＭに記憶させておき、メイン基板２００のＣＰＵで制御部２０６４の処理を行うようにしてもよい。
【００３６】
図６は、発明の実施の形態に係る設定変更フローチャートを示す。
図６は設定変更手順の全体を示す。まず、ホール係員が遊技機の電源をオフにし（Ｓ１０）、設定キースイッチ２０５４をオンにする（Ｓ１１）。そして、その状態で遊技機の電源をオンにする（Ｓ１２）。すると、設定変更モードになり設定変更処理部２００ａが設定変更処理を開始する。設定変更モードになったら、従来と同様の手順で設定変更を行う（Ｓ１３）。具体的には、ホール係員が設定変更／リセットスイッチ２０５５を押して設定値を所望の値に設定する。設定値は、設定変更処理部２００ａにより遊技機の図示しない表示部（例えば遊技機の前面に設けられた日の字型ＬＥＤ表示器）に表示される。所望の設定値になったら、ホール係員がスタートスイッチ１３４を押下する（Ｓ１４）。そして、Ｓ１５以降の処理が実行される。
【００３７】
設定変更処理部２００ａにより、温度センサ２０６１による設定変更禁止解除がなされているかどうか判定する（Ｓ１５）。設定変更禁止／解除の信号は、制御部２０６４から設定変更処理部２００ａへ送られる。設定変更禁止解除がなされている場合（Ｓ１５でＹＥＳ）、設定変更処理部２００ａにより設定値の更新処理が行われる（Ｓ１６）。すなわち、設定変更処理部２００ａは、Ｓ１３で設定された新しい設定値をメイン基板２００のメモリに記憶する。設定キースイッチ２０５４がオフにされることで、設定変更処理部２００ａによる設定変更処理が終了する（Ｓ１７）。
【００３８】
設定変更禁止解除がなされていない場合（Ｓ１５でＮＯ）、設定変更処理部２００ａにより設定変更失敗が報知される（Ｓ１８）。例えば、警報音が発生したり、液晶表示装置に「設定変更が失敗しました」などと表示がなされる。そして、設定キースイッチ２０５４のオンオフに関わらず、設定変更処理部２００ａによる設定変更処理が終了する（Ｓ１９）。
【００３９】
設定変更禁止／解除の信号は、温度センサ２０６１の出力に基づき制御部２０６４が発生する。設定変更禁止／解除の信号は、初期状態（デフォルト）で設定変更禁止となっており、予め定められた条件を満たしている期間においてのみ設定変更禁止が解除されている。上記条件として、例えば次のものが挙げられる。
【００４０】
（１）所定の温度を超えているときに設定変更を許可する場合
設定変更時に、温度検知センサで所定値以上の温度を検知した場合に設定変更を許可する。温度検知センサで所定値以上の温度を検知していない場合に設定変更があればエラー報知する。閾値は、実際にはありえない温度（例えば８０度）とする。ホール店員が設定変更を行う場合は、ライターや電熱器などで加熱して温度センサ２０６１の温度を上げる。
【００４１】
（２）所定の温度を下回るときに設定変更を許可する場合
設定変更時に、温度検知センサで所定値以下の温度を検知した場合に設定変更を許可する。温度検知センサで所定値以下の温度を検知していない場合に設定変更があればエラー報知する。閾値は、遊技機の動作中には実際にはありえない低い温度（例えば、営業中のホールの室温よりも低い温度。例えば、摂氏１０度程度）とする。ホール店員が設定変更を行う場合は、冷却スプレーなどで温度センサ２０６１の温度を下げる。
【００４２】
（３）上限と下限の間にあるときに設定変更を許可する場合
例えば、摂氏８０度から９０度の間、摂氏５度から１０度の間に設定される。不正行為者は短時間で作業を行うから、強力に加熱あるいは冷却を行うはずである。すると、温度の上昇し過ぎあるいは下降し過ぎ（オーバーシュート）が生じ、設定可能な温度範囲を外れることになる。加熱又は冷却に時間をかけない限り所定の温度範囲に設定することは容易でない。（３）によれば、短時間での温度調節は困難になり、不正行為をより強力に抑止できる。
【００４３】
発明の実施の形態１によれば、筐体内部に温度センサを設け、設定変更時にそのセンサで検知された温度が所定の条件を満たした場合のみ、設定変更が許可される仕組みにすることで、容易な設定変更を不可能にし、不正行為を防止することができる。遊技機筐体の扉を開け、温度センサの検出する温度が所定の条件を満たすように加熱又は冷却を行わない限り設定変更が許可されない。短時間での設定変更は不可能になり、その結果、不正な設定変更を防止することができる。
【００４４】
なお、設定の変更を行うための設定変更用スイッチとして、設定キースイッチ２０５４と設定変更スイッチ２０５５を例に挙げたが、これ以外のスイッチ、例えば設定値を確定させるために使用されるスタートスイッチ１３４を設定変更用スイッチに含めるようにしてもよい（発明の実施の形態２についても同様）。
【００４５】
温度センサは、金属などの熱伝導部材を介して熱伝導により熱を受ける、あるいは熱を放出するようにしてもよい。この例を図７に示す。熱伝導は、物質の移動を伴わずに高温側から低温側へ熱が伝わる（移動する）ことである。
【００４６】
図７（ａ）は、棒状の熱伝導部材Ｕを備え、温度センサ２０６１が、熱伝導部材Ｕの一方の端に設けられ、他方の端は遊技機筐体の前面に向けられている（前扉１３０の下側の部分（下扉）１３０−２の背面すぐのところに位置している）。設定変更を行う際は、ホール店員は、前扉１３０を開けてから熱伝導部材Ｕの他方の端を加熱する。熱伝導部材Ｕは温度センサ２０６１と熱的に接続されているので、熱伝導部材Ｕを通って、加熱された他方の端から温度センサ２０６１に熱が伝導し、温度センサ２０６１の温度が上昇して設定変更の条件を満たすようになる。あるいは、熱伝導部材の他方の端を冷却するようにしてもよい。この場合は、熱伝導部材Ｕを通って、温度センサ２０６１から冷却された他方の端に熱が伝導する。
【００４７】
なお、温度センサ２０６１が直接加熱されたり、熱伝導部材Ｕの中間部分が直接加熱されることのないように、温度センサ２０６１及び熱伝導部材Ｕを断熱材Ｖで覆うようにするとよい。図７（ａ）の符号Ｖは断熱材の断面を示す。
【００４８】
図７（ｂ）は、例えば卵形の熱伝導部材Ｕを備え、温度センサ２０６１が、熱伝導部材Ｕの内部に設けられているものである。図７（ｃ）は、図７（ｂ）のＸ−Ｘ矢視断面図を示す。熱伝導部材Ｕの表面の少なくとも一部が加熱されることで、熱伝導部材Ｕを通って、その内部の温度センサ２０６１に熱が伝導する。あるいは、熱伝導部材Ｕの表面の少なくとも一部が冷却されることで、熱伝導部材Ｕを通って、温度センサ２０６１から熱伝導部材Ｕの表面の少なくとも一部に熱が伝導する。
【００４９】
設定変更を行うには温度センサ２０６１の検知する温度が所定の条件を満たすことが必要であるが、図７の構成によれば温度センサ２０６１を直接加熱又は冷却できないので、その作業に時間を要するようになる。このようにすることで、短時間で行わなければならない不正行為を効果的に防止することができる。  
【００５０】
発明の実施の形態２．
さらに、扉開放検出センサを設け、温度センサの出力と扉開放検出センサの出力を合成した信号に基づき設定変更禁止を解除するようにしてもよい。
【００５１】
図８は、発明の実施の形態２に係る遊技機のブロック図である。同図は、扉開放検出センサ２０６０が追加された点を除き、図５と同じである。
【００５２】
図９は、発明の実施の形態２に係る電源部の正面図である。図９は、図３に対応する。以下、図３との相違点について説明する。
【００５３】
図９において、２０６０は扉開放検出センサ（スイッチ）、２０６５は扉開放検出センサ（スイッチ）２０６０を覆う保護カバーである。保護カバー２０６０には、扉開放検出センサ（スイッチ）２０６０をオンオフするために前扉１３０（具体的には前扉１３０の下側の部分（下扉）１３０−２）に設けられた当接棒（後述する）を受け入れるための開口部Ｈが設けられている。なお、符号Ａは扉開放検出センサ（スイッチ）２０６０の回路で電源パネル２０５の外部へ突出している部分を示す。
【００５４】
扉開放検出センサ（スイッチ）２０６０〜制御部２０６４の関係について図１０及び図１１を参照してさらに説明を加える。
【００５５】
図１０は電源部２０５の平面図（部分）、図１１は図１０の矢印Ｂ方向から見た電源部２０５の側面図である。
【００５６】
発明の実施の形態２において、電源部２０５の前面に一部が突出している回路Ａを設ける(点線部分は電源部２０５の内部に収容されている)。突出している部分Ａにはスイッチ２０６０を設けている。またスイッチ２０６０の回りにはスイッチに対して不正が行われないように保護カバー２０６５を設けている。また下扉１３０−２には保護カバー２０６５の開口部Ｈを貫通してスイッチ２０６０に当接する当接棒１３０−２１が設けられている。そして当接棒１３０−２１は、下扉１３０−２が閉じた状態にあるときはスイッチ２０６０を押し込んで開（オフ）状態としている。スイッチ２０６０は適宜の手段によって閉側に付勢されているので、下扉１３０−２を開けるとスイッチ２０６０は閉（オン）状態になる。電源部２０５の中には、温度センサ２０６１の出力及びスイッチ２０６０の出力を受ける制御部２０６４とが設けられている。
【００５７】
なお、本発明の実施の形態２に係る扉開放検出センサ２０６０は、上述した例に限定されない。他の例を列挙する。
（Ａ）マイクロスイッチなどの（当接棒に相当する）作用部を備えるスイッチ
扉を閉じたときに当該作用部が押し込まれてスイッチがオンし、扉を開けたときに当該作用部が解放されてスイッチがオフになるようなもの。
（Ｂ）発光部と受光部を備えるフォトインタラプタなどの光学式センサ
扉を閉じたときに当接棒が発光部と受光部の間に割り込み光を遮蔽し、扉を開けたとき当接棒が離れて発光部の光を受光部で受光できるようになるもの。
（Ｃ）磁石とリードスイッチ
リードスイッチは、その接点に磁石が近づくとオンになるスイッチである。磁石とリードスイッチを扉の裏面と電源パネルの前面に取り付けておき、扉を閉じたときに当該磁石がリードスイッチに近づいて当該リードスイッチをオンにし、扉を開けたとき磁石が離れて当該リードスイッチがオフになるもの。
（Ｄ）電気的接続を行うコネクタ（プラグとソケット）
プラグとソケットを扉の裏面と電源パネルの前面にそれぞれ取り付けておき、扉を閉じたときプラグがソケットに嵌まり込み電気的に接続され、扉を開けたとき両者が離れて電気的接続が切断されるもの。
（Ｅ）コイル
電磁誘導を利用する。２つのコイルを用い、扉の裏面と電源パネルの前面にそれぞれ取り付けておき、接近したときに両者が電磁的に結合するようにしておく。前扉が開いた状態では２つのコイルが離れるので結合しない。結合を検出するための信号としてさまざまな変調信号やコードを用いることができる。
（Ｆ）アンテナ
指向性の強い２つのアンテナを用いる。接近したときに両者が互いに指向するようにしておく。前扉が閉じた状態で２つのアンテナが向き合わないようにしておけば信号が伝播することがない。信号としてさまざまな変調信号やコードを用いることができる。
【００５８】
図１２は、発明の実施の形態２に係る遊技機の前扉１３０を開けた状態を示す斜視図である。図１２において、１３０−２１は扉開放検出センサ（スイッチ）２０６０をオンオフするための当接棒である。
【００５９】
前述したように、設定変更禁止／解除の信号は、温度センサ２０６１の出力に基づき制御部２０６４が発生する。制御部２０６４は、温度センサ２０６１で検知された温度が前記条件（１）〜（３）のいずれかを満たし、かつ、扉開放検出センサ２０６０により扉の開放が検出されたとき、設定変更処理部２００ａによる設定変更を許可する。設定変更禁止／解除の信号は、初期状態（デフォルト）で設定変更禁止となっており、予め定められた条件（１）〜（３）を満たしている期間においてのみ設定変更禁止が解除されている。
【００６０】
回路構成の観点からは、温度センサ２０６１の出力（閾値との比較結果である受光判定信号）と扉開放検出センサ２０６０の出力を入力とするＡＮＤ回路（論理積回路）を備え、当該ＡＮＤ回路の出力に基づき制御部２０６４は設定変更禁止の解除を行うようにするとよい。このように構成すれば、制御部２０６４は、発明の実施の形態１と同じものを用いることができる。
【００６１】
発明の実施の形態２によれば、温度センサと扉開放検出センサを組み合わせたので、より確実に不正な設定変更を防止することができる。
【００６２】
本発明は、以上の実施の形態に限定されることなく、特許請求の範囲に記載された発明の範囲内で、種々の変更が可能であり、それらも本発明の範囲内に包含されるものであることは言うまでもない。
【図面の簡単な説明】
【００６３】
【図１】発明の実施の形態に係るスロットマシンの前扉を閉めた状態を示す正面図である。
【図２】発明の実施の形態に係るスロットマシンの前扉を１８０度開いた状態を示す正面図である。
【図３】発明の実施の形態１に係るスロットマシンの電源部の正面図である。
【図４】発明の実施の形態１に係るスロットマシンの斜視図である（前扉開放状態）。
【図５】発明の実施の形態１に係るスロットマシンのブロック図である。
【図６】発明の実施の形態に係るスロットマシンの処理フローチャートである。
【図７】発明の実施の形態に係る温度センサ及び熱伝導部材の取り付け方の説明図である。
【図８】発明の実施の形態２に係るスロットマシンのブロック図である。
【図９】発明の実施の形態２に係るスロットマシンの電源部の正面図である。
【図１０】発明の実施の形態２に係るスロットマシンの電源部の平面図（部分）である。
【図１１】発明の実施の形態２に係るスロットマシンの電源部の側面図（部分）である。
【図１２】発明の実施の形態２に係るスロットマシンの斜視図である（前扉開放状態）。
【符号の説明】
【００６４】
１００    スロットマシン
１２０    スロットマシン本体（遊技機筐体）
１３０    前扉
１３０−２    下扉
１３０−２１  当接棒
２００    メイン基板
２００ａ  設定変更処理部
２０５    電源部
２０５４  設定キースイッチ（設定変更用スイッチ）
２０５５  設定変更／リセットスイッチ（設定変更用スイッチ）
２０６０  扉開放検出センサ（スイッチ）
２０６１  温度センサ
２０６４  制御部
２０６５  保護カバー
Ｕ  熱伝導部材
Ｖ  断熱材
【図１】
2010000097.tif 000003
【図２】
2010000097.tif 000004
【図３】
2010000097.tif 000005
【図４】
2010000097.tif 000006
【図５】
2010000097.tif 000007
【図６】
2010000097.tif 000008
【図７】
2010000097.tif 000009
【図８】
2010000097.tif 000010
【図９】
2010000097.tif 000011
【図１０】
2010000097.tif 000012
【図１１】
2010000097.tif 000013
【図１２】
2010000097.tif 000014